(57)【特許請求の範囲】
【請求項１】
複数の画像表示装置を平面的に並べて配置することによって構成されるマルチディスプレイ装置を設置するためのスタンド装置であって、
支柱と、
画像表示装置を取付可能に構成されるとともに、前記支柱の軸線方向に沿って昇降移動可能に、該支柱に装着される複数の保持部材であって、
前記軸線方向のうち少なくとも降下する方向への移動が阻止された状態で、前記支柱に支持される基準保持部材と、
前記支柱の軸線方向に沿って昇降移動自在に、前記支柱に支持される可動用保持部材と、を含む複数の保持部材と、
前記可動用保持部材を、前記支柱の軸線方向に沿って昇降移動させる昇降手段とを含むことを特徴とするスタンド装置。
【請求項２】
前記保持部材は、前記支柱に取り付けられる可動部材と、画像表示装置に取付可能に構成されるとともに、前記可動部材に掛止可能な掛止部材とを含み、
前記掛止部材は、前記支柱に取り付けられた状態の可動部材に対し、支柱の軸線方向への変位を伴って掛合されるように構成されていることを特徴とする請求項１記載のスタンド装置。
【請求項３】
前記複数の保持部材は、基準保持部材と該基準保持部材より下方に配置される複数の可動用保持部材とを含み、
前記支柱には、可動用保持部材ごとに、該可動用保持部材の降下する方向への移動を制限する移動制限部材が設けられ、
各移動制限部材は、下段に配置される可動用保持部材ほど、降下する方向への移動可能な距離が長くなるように、前記支柱に設けられていることを特徴とする請求項１または２記載のスタンド装置。
【請求項４】
前記複数の保持部材は、基準保持部材と該基準保持部材より上方に配置される複数の可動用保持部材とを含み、
前記昇降手段は、最上段に配置される保持部材を除く残余の保持部材に個別に設置されていることを特徴とする請求項１または２記載のスタンド装置。
【請求項５】
前記昇降手段は、油圧ジャッキ、スクリュージャッキ、空気圧シリンダ、油圧シリンダ、および、ウインチのうちのいずれか１つを含むことを特徴とする請求項１または２記載のスタンド装置。
【発明の詳細な説明】
【技術分野】
【０００１】
本発明は、マルチディスプレイ装置を、公共の場所に設置するために用いられるスタンド装置に関する。
【背景技術】
【０００２】
近年、インフォメーションディスプレイおよび業務用ディスプレイとして、画像を表示可能な表示パネルを備える画像表示装置を、複数台縦横に平面的に並べて配置することによって、全体として１つの大きな画像を表示可能なマルチディスプレイ装置が用いられるようになっている。
【０００３】
これに応じて、マルチディスプレイ装置を設置するために用いられる装置についても種々提案されている。たとえば特許文献１には、マルチディスプレイ装置を壁面に設置するための装置が提案されている。
【先行技術文献】
【特許文献】
【０００４】
【特許文献１】特開２００１−２０２０３１号公報
【発明の概要】
【発明が解決しようとする課題】
【０００５】
マルチディスプレイ装置は、複数の画像表示装置を殆ど隙間なく平面的に並べて配置することによって構成され、壁面などの設置対象物に設置する場合、各画像表示装置は、特許文献１に示されるように、その背面に連結された逆Ｊ字状の掛止部を、設置対象物に予め固定された被掛止部に掛合することによって、被掛止部に取付けられている。
【０００６】
ところで、このような状態で画像表示装置が取付けられている場合、画像表示装置を被掛止部から取外すためには、画像表示装置に連結されている掛止部を、被掛止部から離脱させるために、画像表示装置を被掛止部に対して上方に変位させる必要が生ずる。
【０００７】
しかしながら、マルチディスプレイ装置では、前記のように画像表示装置が隙間なく並べられているので、メンテナンスを行うためにたとえば最下段に配置される画像表示装置を取外そうとしても、その上段に配置される画像表示装置によって、上方への変位が阻止され、取外し対象の画像表示装置だけを取外すことができない。
【０００８】
このようにマルチディスプレイ装置のメンテナンスを実行する際、取外し対象の画像表示装置を取外すために、それ以外の画像表示装置を取外さなければならない場合があり、そのような場合には、労力および時間を余分に要してしまうという問題がある。
【０００９】
本発明の目的は、マルチディスプレイ装置のメンテナンス性を向上させることができるスタンド装置を提供することである。
【課題を解決するための手段】
【００１０】
本発明は、複数の画像表示装置を平面的に並べて配置することによって構成されるマルチディスプレイ装置を設置するためのスタンド装置であって、
支柱と、
画像表示装置を取付可能に構成されるとともに、前記支柱の軸線方向に沿って昇降移動可能に、該支柱に装着される複数の保持部材であって、
前記軸線方向のうち少なくとも降下する方向への移動が阻止された状態で、前記支柱に支持される基準保持部材と、
前記支柱の軸線方向に沿って昇降移動自在に、前記支柱に支持される可動用保持部材と、を含む複数の保持部材と、
前記可動用保持部材を、前記支柱の軸線方向に沿って昇降移動させる昇降手段とを含むことを特徴とするスタンド装置である。
【００１１】
また本発明は、前記保持部材は、前記支柱に取り付けられる可動部材と、画像表示装置に取付可能に構成されるとともに、前記可動部材に掛止可能な掛止部材とを含み、
前記掛止部材は、前記支柱に取り付けられた状態の可動部材に対し、支柱の軸線方向への変位を伴って掛合されるように構成されていることを特徴とする。
【００１２】
また本発明は、前記複数の保持部材は、基準保持部材と該基準保持部材より下方に配置される複数の可動用保持部材とを含み、
前記支柱には、可動用保持部材ごとに、該可動用保持部材の降下する方向への移動を制限する移動制限部材が設けられ、
各移動制限部材は、下段に配置される可動用保持部材ほど、降下する方向への移動可能な距離が長くなるように、前記支柱に設けられていることを特徴とする。
【００１３】
また本発明は、前記複数の保持部材は、基準保持部材と該基準保持部材より上方に配置される複数の可動用保持部材とを含み、
前記昇降手段は、最上段に配置される保持部材を除く残余の保持部材に個別に設置されていることを特徴とする。
【００１４】
また本発明は、前記昇降手段は、油圧ジャッキ、スクリュージャッキ、空気圧シリンダ、油圧シリンダ、および、ウインチのうちのいずれか１つを含むことを特徴とする。
【発明の効果】
【００１５】
本発明によれば、マルチディスプレイ装置から画像表示装置を取外してメンテナンスを実行する際、取外し対象以外の画像表示装置を取外す必要がなく、取外し対象の画像表示装置だけを取外すことができる。したがって、取外し対象以外の画像表示装置を取外すのに要する労力および時間が削減され、メンテナンス性を向上することができる。
【図面の簡単な説明】
【００１６】
【図１】本発明の一実施形態に係るスタンド装置１が、マルチディスプレイ装置２を支持している状態を正面側から見た斜視図である。
【図２】スタンド装置１が、マルチディスプレイ装置２を支持している状態を背面側から見た斜視図である。
【図３】画像表示装置３が取り付けられた状態の保持部材１２を背面側から見た斜視図である。
【図４】保持部材１２を示す分解斜視図である。
【図５】最上段に配置される保持部材１２を背面側から見た拡大斜視図である。
【図６】一対の支柱１１ａに設けられる昇降手段１３を拡大して示す斜視図である。
【図７】図６に示すマルチディスプレイ装置２の構築状態から可動板６４を下降させた状態を示す斜視図である。
【図８】マルチディスプレイ装置２における中段に配置される画像表示装置３が取り外された状態を示す斜視図である。
【図９】本発明の他の実施形態に係るスタンド装置１Ａが、マルチディスプレイ装置２を支持している状態を背面側から見た斜視図である。
【発明を実施するための形態】
【００１７】
図１は、本発明の一実施形態に係るスタンド装置１が、マルチディスプレイ装置２を支持している状態を正面側から見た斜視図である。図２は、スタンド装置１が、マルチディスプレイ装置２を支持している状態を背面側から見た斜視図である。
【００１８】
本実施形態に係るスタンド装置１は、インフォメーションディスプレイおよび業務用ディスプレイなどとして用いられるマルチディスプレイ装置２を、公共の場所に設置するために用いられる装置である。
【００１９】
設置対象のマルチディスプレイ装置２は、同一の画面サイズを有する複数の画像表示装置３を、画像表示装置３間に隙間が形成されないように、平面的に並べて配置することによって構築される。本実施形態では、図１および図２に示すように、９台の画像表示装置３を、縦横３×３のマトリクス状に隙間なく並ぶように配置することによって構築される。
【００２０】
また、各画像表示装置３は、その短辺方向Ｂ１がマルチディスプレイ装置２における縦方向Ａ１に一致するような姿勢で並べられている。以下、各画像表示装置３において、短辺方向Ｂ１の両端部のうち、マルチディスプレイ装置２の上端側に配置される端部を「上端部」と称して参照符７ａを付し、マルチディスプレイ装置２の下端側に配置される端部を「下端部」と称して参照符７ｂを付す。
【００２１】
各画像表示装置３は、画像を表示可能な矩形状の表示パネル４と、画像表示装置３の前面３ａ側に設けられ、表示パネル４における画像の表示領域を外囲する矩形枠状のベゼル５と、画像表示装置３の背面３ｂ側に設けられ、図示しない制御装置などを収容する筐体６とを含んで構成される。画像表示装置３は、たとえば液晶表示装置、プラズマディスプレイ装置、および有機ＥＬ（Electroluminescence）ディスプレイ装置などのフラットパネルディスプレイ装置によって実現される。
【００２２】
スタンド装置１は、図１および図２に示すように、支柱１１ａによって構成される支持部材１１と、画像表示装置３を取付可能に構成されるとともに、支柱１１ａの軸線方向に沿って昇降移動可能に、支柱１１ａに装着される複数の保持部材１２と、複数の保持部材１２における後述する可動用保持部材１２ｂを、支柱１１ａの軸線方向に沿って昇降移動させる昇降手段１３とを含んで構成される。
【００２３】
支持部材１１は、設置対象のマルチディスプレイ装置２において、縦方向Ａ１に並ぶ複数の画像表示装置３を支持する部材であり、たとえば鉛直方向に沿って延設される。支持部材１１は、本実施形態では、平行に延設される一対の支柱１１ａによって構成され、この一対の支柱１１ａによって、設置対象のマルチディスプレイ装置２において縦方向Ａ１に並ぶ３台の画像表示装置３が支持される。したがって、本実施形態では、６本の支柱１１ａが設けられている。
【００２４】
各支柱１１ａは、設置対象のマルチディスプレイ装置２の縦方向Ａ１の寸法よりも長尺となるように形成され、また、縦方向Ａ１に並ぶ複数の画像表示装置３を支持するのに十分な強度および剛性を有するように、材料、形状および寸法が選択されて形成される。本実施形態では、各支柱１１ａは、円筒状の鋼管によって実現されているが、他の実施形態では、円柱状あるいは角柱状などの鋼材によって実現されてもよい。
【００２５】
図３は、画像表示装置３が取り付けられた状態の保持部材１２を背面側から見た斜視図であり、図４は、保持部材１２を示す分解斜視図である。保持部材１２は、その外形寸法が画像表示装置３の外形寸法よりも小さくなるように形成され、画像表示装置３の背面３ｂの略中央に取り付けられる。
【００２６】
保持部材１２は、図４に示すように、画像表示装置３よりも一回り小さな大略的に四角筒形状の可動部材２１と、画像表示装置３の背面３ｂに固定される一対の掛止部材２２とによって構成される。
【００２７】
掛止部材２２は、画像表示装置３の短辺方向Ｂ１の寸法よりも短尺に形成された棒状部材であり、その長手方向の両端部に、第１および第２掛止部４１，４２がそれぞれ設けられている。第１および第２掛止部４１，４２はいずれも、掛止部材２２の長手方向に垂直な一方向に突出するとともに、先端部４１ａ，４２ａが前記長手方向の一方側に向かって直角に屈曲するように、大略的にＬ字状に形成されている。掛止部材２２において、第１掛止部４１は、その先端部４１ａが第２掛止部４２に向かって屈曲するように配置されている。
【００２８】
同一形状に形成された一対の掛止部材２２は、その長手方向が画像表示装置３の短辺方向Ｂ１に一致し、かつ、第１掛止部４１が画像表示装置３の上端部７ａ側に位置するとともに、第２掛止部４２が画像表示装置３の下端部７ｂ側に位置するような姿勢で、画像表示装置３の背面３ｂにおける長辺方向Ｂ２の両端部近傍に、ボルトなどの締結具を用いてそれぞれ締結固定される。
【００２９】
一方、可動部材２１は、４つの周壁部３１〜３４から成り、詳細には、正面視における画像表示装置３の外形寸法よりも小さな外形寸法を有し、画像表示装置３が取付けられた状態において、画像表示装置３の背面３ｂに対向する矩形板状の前壁部３１と、前壁部３１における平行な一対の縁辺にそれぞれ連なり、前壁部３１の厚み方向一方側の表面から垂直に立設する矩形板状の上壁部３２および下壁部３３と、前壁部３１に対向し、かつ平行に設けられ、上壁部３２および下壁部３３に連なる後壁部３４とから成る。
【００３０】
以下、可動部材２１において、上壁部３２および下壁部３３に垂直な方向を「高さ方向」と称して参照符Ｃ１を付し、前壁部３１および後壁部３４に平行で、高さ方向Ｃ１に垂直な方向を「幅方向」と称して参照符Ｃ２を付す。
【００３１】
上壁部３２には、画像表示装置３の背面３ｂに固定される一対の掛止部材２２の長辺方向Ｂ２の間隔に対応するように、幅方向Ｃ２に間隔を空けて一対の第１被掛止部３５が設けられている。各第１被掛止部３５には、上壁部３２の厚み方向に貫通し、掛止部材２２の第１掛止部４１の先端部４１ａを挿通可能な矩形状の掛止孔３５ａが形成されている。
【００３２】
また、前壁部３１には、一対の第１被掛止部３５が設けられている位置に対応するように、幅方向Ｃ２に間隔を空けて一対の第２被掛止部３６が設けられている。各第２被掛止部３６には、前壁部３１の厚み方向に貫通し、掛止部材２２の第２掛止部４２を挿入可能な、高さ方向Ｃ１に延びるスリット３６ａが形成されている。
【００３３】
このような構成により、画像表示装置３に取り付けられた一対の掛止部材２２の各第２掛止部４２を、可動部材２１の前壁部３１に形成された一対のスリット３６ａにそれぞれ挿入し、さらに一対の掛止部材２２を、第２掛止部４２の先端部４２ａが下壁部３３に近接する方向にスリット３６ａに沿って変位させることで、第１掛止部４１の先端部４１ａが第１被掛止部３５の掛止孔３５ａに挿通されて、第１掛止部４１と第１被掛止部３５とが掛合されると同時に、スリット３６ａの下方へ挿し込まれた第２掛止部４２の先端部４２ａと第２被掛止部３６とが掛合される。つまり、掛止部材２２は、可動部材２１に対し、高さ方向Ｃ１への相対的な変位を伴って掛合される。
【００３４】
第１掛止部４１および第１被掛止部３５、ならびに、第２掛止部４２および第２被掛止部３６は、前記のように掛合したときに、可動部材２１と掛止部材２２とが、がたつきなく連結されるように形成されている。このように、可動部材２１と掛止部材２２とを連結することによって、画像表示装置３は、保持部材１２に保持される。
【００３５】
このとき、画像表示装置３は、その短辺方向Ｂ１と可動部材２１の高さ方向Ｃ１とが一致し、その長辺方向Ｂ２と可動部材２１の幅方向Ｃ２とが一致するような姿勢で、保持部材１２に保持される。
【００３６】
また、可動部材２１には、その上壁部３２に、厚み方向に貫通し、支柱１１ａの外径よりも僅かに大きな内径を有する円形の２つの貫通孔３７が、幅方向Ｃ２に間隔を空けて形成され、下壁部３３においても同様に、厚み方向に貫通し、支柱１１ａの外径よりも僅かに大きな内径を有する円形の２つの貫通孔３８が、幅方向Ｃ２に間隔を空けて、上壁部３２に形成される各貫通孔３７とそれぞれ同軸となるように形成されている。
【００３７】
このような構成により、可動部材２１は、幅方向Ｃ２の一方側に形成される一対の貫通孔３７，３８と、幅方向Ｃ２の他方側に形成される一対の貫通孔３７，３８とに、２本の支柱１１ａをそれぞれ挿通することによって、支柱１１ａの軸線方向に沿って昇降移動自在に装着される。
【００３８】
さらに、可動部材２１には、その上壁部３２に、厚み方向に貫通する円形の２つの挿通孔３９が、幅方向Ｃ２に間隔を空けて形成され、下壁部３３においても同様に、厚み方向に貫通する円形の２つの挿通孔４０が、幅方向Ｃ２に間隔を空けて、上壁部３２に形成される各挿通孔３９とそれぞれ同軸となるように形成されている。
【００３９】
上壁部３２に形成される挿通孔３９は、後述する昇降手段１３におけるロッド６５およびロッド６５に締結固定されるダブルナット６６のいずれも挿通可能な内径を有するように形成される。また、下壁部３３に形成される各挿通孔４０は、昇降手段１３におけるロッド６５を挿通可能であるとともに、ロッド６５に締結固定されるダブルナット６６を挿通させることができないような内径を有するように形成される。
【００４０】
保持部材１２は、マルチディスプレイ装置２を構成する画像表示装置３の数だけ設けられ、本実施形態では、９つの保持部材１２が設けられている。また、図２に示すように、本実施形態では、一対の支柱１１ａに対し、３つの保持部材１２が、支柱１１ａに沿って並ぶように装着されている。
【００４１】
図５は、最上段に配置される保持部材１２を背面側から見た拡大斜視図であり、画像表示装置３が装着された状態を示している。一対の支柱１１ａに装着される３つの保持部材１２のうち、本実施形態では、最上段に配置される保持部材１２が、支柱１１ａに設けられる変位阻止手段５１によって、下方への移動が阻止された状態で支持される。
【００４２】
変位阻止手段５１は、図５に示すように、支柱１１ａの外径よりも僅かに大きな内径を有するとともに、可動部材２１の下壁部３３に形成される貫通孔３８の内径よりも大きな外径を有する円筒状のスリーブ５２と、所定の高さ位置で支柱１１ａの一半径方向に貫通して設けられる係止ピン５３とを含み、スリーブ５２を係止ピン５３によって下方への変位を阻止した状態で支持することによって構成される。最上段に配置される保持部材１２は、この変位阻止手段５１よりも上方に配置されることにより、スリーブ５２と当接した位置よりも下方への変位が阻止される。
【００４３】
以下、変位阻止手段５１によって変位が阻止されている保持部材１２を、「基準保持部材」と称し、参照符１２ａを付して示す。一方、最上段に配置される基準保持部材１２ａを除く残余の保持部材１２を、「可動用保持部材」と称し、参照符１２ｂを付して示す。
【００４４】
図６は、一対の支柱１１ａに設けられる昇降手段１３を拡大して示す斜視図であり、マルチディスプレイ装置２が構築された状態、すなわち縦方向Ａ１に並ぶ各画像表示装置３が、互いに隙間なく隣接している状態を示している。
【００４５】
昇降手段１３は、可動軸６１ａをそれぞれ有する一対の油圧ジャッキ６１と、油圧ジャッキ６１を駆動するためのハンドル６２と、一対の油圧ジャッキ６１を支持する支持板６３と、油圧ジャッキ６１の可動軸６１ａの先端に固定される可動板６４と、可動板６４に固定され、支柱１１ａに沿って延びる一対のロッド６５と、各ロッド６５において、所定の位置に締結固定される複数のダブルナット６６とを含んで構成される。
【００４６】
一対の油圧ジャッキ６１は、最下段に配置される可動用保持部材１２ｂよりも下方に設けられた支持板６３上に、可動軸６１ａの先端が上方に臨むように設置されている。支持板６３は、支柱１１ａの軸線方向に垂直な仮想一平面に平行となる姿勢で、一対の支柱１１ａに固定して設けられている。
【００４７】
一対の油圧ジャッキ６１は、その近傍に設けられる単一のハンドル６２に連結されており、このハンドル６２が手動で回転駆動されると、その回転を可動軸６１ａの直線運動に変換するように構成されている。つまり、ハンドル６２を手動で一方側に回転駆動すると、各油圧ジャッキ６１の可動軸６１ａが上方に向かって連動して移動し、また、ハンドル６２を手動で他方側に回転駆動すると、各油圧ジャッキ６１の可動軸６１ａが下方に向かって連動して移動するように構成されている。一対の油圧ジャッキ６１は、各可動軸６１ａの先端が等しい高さ位置を維持した状態で移動するように、予め調整されている。
【００４８】
可動板６４は、支柱１１ａの軸線方向に垂直な仮想一平面に平行となる姿勢で、支柱１１ａに沿って昇降移動可能に、支柱１１ａに装着され、さらに、一対の油圧ジャッキ６１の各可動軸６１ａの先端が固定されている。また、可動板６４には、一対のロッド６５が、可動板６４から上方に延びるように締結固定されている。各ロッド６５は、各可動用保持部材１２ｂの挿通孔３９，４０をそれぞれ挿通し、さらに基準保持部材１２ａの下壁部３３の挿通孔４０を挿通し、支柱１１ａに平行に設けられている。
【００４９】
ダブルナット６６は、各ロッド６５において、可動用保持部材１２ｂの数だけ設けられ、本実施形態では、１本のロッド６５に対し、２つのダブルナット６６が設けられている。各ダブルナット６６は、図６に示すようなマルチディスプレイ装置２の構築状態において、各可動用保持部材１２ｂの下壁部３３に下方から当接するように位置決めされて、ロッド６５に締結固定される。つまり、マルチディスプレイ装置２の構築状態では、各可動用保持部材１２ｂは、ロッド６５に締結固定されたダブルナット６６に係止されて、下方への移動が阻止されている。
【００５０】
また、図６に示すように、各支柱１１ａには、前述の変位阻止手段５１と同様に構成される、すなわちスリーブ５２と係止ピン５３とによって構成される移動制限手段７１が、可動用保持部材１２ｂごとに設けられている。移動制限手段７１は、可動用保持部材１２ｂの上壁部３２と下壁部３３との間に設置され、詳細には、マルチディスプレイ装置２の構築状態において、可動用保持部材１２ｂの上壁部３２とスリーブ５２の上端面とが所定の距離だけ離間するように設置される。
【００５１】
より詳細には、上下に隣接する可動用保持部材１２ｂにおいて、下段に配置される可動用保持部材１２ｂの上壁部３２とスリーブ５２の上端面との距離Ｄ２が、上段に配置される可動用保持部材１２ｂの上壁部３２とスリーブ５２の上端面との距離Ｄ１よりも大きくなるように設置される。
【００５２】
図７は、図６に示すマルチディスプレイ装置２の構築状態から可動板６４を下降させた状態を示す斜視図である。図７に示すように、ハンドル６２を操作することによって可動板６４を下降させると、それに応じて、ロッド６５およびロッド６５に締結固定されているダブルナット６６も下降し、したがって、ダブルナット６６に係止されている可動用保持部材１２ｂも連動して下降する。
【００５３】
ここで、マルチディスプレイ装置２の構築状態において、中段に配置される可動用保持部材１２ｂの上壁部３２とスリーブ５２の上端面との距離がＤ１であり、最下段に配置される可動用保持部材１２ｂの上壁部３２とスリーブ５２の上端面との距離がＤ２（ただし、Ｄ１＜Ｄ２）であるとすると、可動板６４の下降距離ｄがＤ１未満の状態では、２つの可動用保持部材１２ｂは、可動板６４に連動して下降し、これにより、最上段の画像表示装置３と、中段の画像表示装置３との間に距離ｄの隙間が形成される。
【００５４】
可動板６４をさらに下降させて下降距離ｄがＤ１に等しくなると、中段に配置される可動用保持部材１２ｂの上壁部３２と移動制限手段７１のスリーブ５２の上端面とが当接し、以降、中段に配置される可動用保持部材１２ｂの下方への移動が制限される。このとき、最上段の画像表示装置３と、中段の画像表示装置３との間に間隔Ｄ１の隙間が形成される。
【００５５】
可動板６４をさらに下降させて下降距離ｄがＤ１より大きくＤ２未満の状態になると、最下段の可動用保持部材１２ｂのみが、可動板６４に連動して下降し、これにより、中段の画像表示装置３と、最下段の画像表示装置３との間に間隔ｄ−Ｄ１の隙間が形成される。
【００５６】
可動板６４をさらに下降させて下降距離ｄがＤ２に等しくなると、最下段に配置される可動用保持部材１２ｂの上壁部３２と移動制限手段７１のスリーブ５２の上端面とが当接し、最下段に配置される可動用保持部材１２ｂの下方への移動が制限される。このとき、中段の画像表示装置３と、最下段の画像表示装置３との間に間隔Ｄ２−Ｄ１の隙間が形成される。
【００５７】
したがって、画像表示装置３に固定された掛止部材２２を可動部材２１から離脱させるために必要な上方への移動距離よりも大きくなるように、可動用保持部材１２ｂの上壁部３２とスリーブ５２の上端面との距離Ｄ１，Ｄ２を選定することにより、中段あるいは最下段に配置される画像表示装置３だけを取外すことができる。
【００５８】
可動用保持部材１２ｂの上壁部３２とスリーブ５２の上端面との距離Ｄ１，Ｄ２は、たとえば、最上段の画像表示装置３と中段の画像表示装置３との間に形成される隙間の間隔Ｄ１と、中段の画像表示装置３と最下段の画像表示装置３との間に形成される隙間の間隔Ｄ２−Ｄ１とが等しくなるように選定される。
【００５９】
図８は、マルチディスプレイ装置２における中段に配置される画像表示装置３が取り外された状態を示す斜視図である。上記のように、本実施形態によれば、マルチディスプレイ装置２から画像表示装置３を取外してメンテナンスを実行する際、取外し対象の画像表示装置３が、中段あるいは最下段に配置されている場合であっても、取外し対象の画像表示装置３とその上段に配置される画像表示装置３との間に隙間を形成することができるので、取外し対象の画像表示装置３だけを取外すことができる。したがって、取外し対象以外の画像表示装置３を取外すのに要していた労力および時間を削減することができ、マルチディスプレイ装置２のメンテナンス性を向上することができる。
【００６０】
上記の実施形態では、昇降手段１３が手動で操作されるように構成されているが、手動に限定されることなく、電動で動作するように構成してもよい。
【００６１】
また、上記の実施形態では、油圧ジャッキ６１および可動板６４を、可動用保持部材１２ｂよりも下方に配置することによって構成されているが、これに限らず、油圧ジャッキ６１および可動板６４を、基準保持部材１２ａの上方に配置することによって構成してもよい。この場合、ロッド６５を上方へ延ばして可動板６４に固定することによって実現することができる。
【００６２】
また、上記の実施形態では、可動板６４を移動させるための装置として油圧ジャッキ６１が用いられているが、他の実施形態では、油圧ジャッキ６１に代えて、たとえばスクリュージャッキ、油圧シリンダ、空気圧シリンダおよびウインチなどを用いてもよい。ウインチを用いる場合には、ロッド６５に代えて、巻取り可能なワイヤロープを用いることによって実現することができる。また、ウインチを可動用保持部材１２ｂよりも下方に設置する場合には、基準保持部材１２ａよりも上方に、滑車を取り付けることによって実現することができる。
【００６３】
また、上記の実施形態では、９台の画像表示装置３を縦横３×３のマトリクス状に並べて構築されるマルチディスプレイ装置２を設置対象としているが、これに限らず、縦方向Ａ１に並ぶ画像表示装置３の数が複数であるようなマルチディスプレイ装置であれば、本発明に係るスタンド装置１を用いることによりメンテナンス性を向上させることができる。
【００６４】
図９は、本発明の他の実施形態に係るスタンド装置１Ａが、マルチディスプレイ装置２を支持している状態を背面側から見た斜視図である。本実施形態に係るスタンド装置１Ａは、前述の実施形態に係るスタンド装置１と重複する構成を有するので、同一の構成については、同一の参照符を付して説明を省略する。
【００６５】
本実施形態では、前述の実施形態と異なり、一対の支柱１１ａに装着される３つの保持部材１２のうち、最下段に配置される保持部材１２が、支柱１１ａに設けられる変位阻止手段５１によって、下方への移動が阻止された状態で支持されている。すなわち、最下段に基準保持部材１２ａが設けられ、その上方に可動用保持部材１２ｂが設けられている。
【００６６】
本実施形態では、最上段に配置される保持部材１２を除く残余の保持部材１２に、昇降手段１３Ａが個別に設けられている。各昇降手段１３Ａは、可動軸６１ａをそれぞれ有する一対の油圧ジャッキ６１を含み、一対の油圧ジャッキ６１は、保持部材１２における可動部材２１の上壁部３２上に、可動軸６１ａの先端が上方に臨むように設置されている。したがって、一対の油圧ジャッキ６１を、可動軸６１ａを上方へ移動させるように駆動することで、可動軸６１ａが上方に配置される１または複数の可動用保持部材１２ｂを押し上げ、上方へ移動させることができる。
【００６７】
このように、本実施形態によれば、マルチディスプレイ装置２から画像表示装置３を取外してメンテナンスを実行する際、取外し対象の画像表示装置３が、中段あるいは最下段に配置されている場合であっても、取外し対象の画像表示装置３が取り付けられている保持部材１２の昇降手段１３を作動させることにより、その上段に配置される画像表示装置３との間に隙間を形成することができる。これにより、取外し対象の画像表示装置３だけを取外すことができる。したがって、取外し対象以外の画像表示装置３を取外すのに要していた労力および時間を削減することができ、マルチディスプレイ装置２のメンテナンス性を向上することができる。
【符号の説明】
【００６８】
１  スタンド装置
２  マルチディスプレイ装置
３  画像表示装置
１１ａ  支柱
１２  保持部材
１２ａ  基準保持部材
１２ｂ  可動用保持部材
１３  昇降手段
【図１】
0005232886.tif 000002
【図２】
0005232886.tif 000003
【図３】
0005232886.tif 000004
【図４】
0005232886.tif 000005
【図５】
0005232886.tif 000006
【図６】
0005232886.tif 000007
【図７】
0005232886.tif 000008
【図８】
0005232886.tif 000009
【図９】
0005232886.tif 000010